(57)【要約】      （修正有）【課題】他者による無断使用の防止、セキュリティの保護、データ盗用防止を確実に図ることができ、更に置き忘れ防止対策にも万全を期した携帯情報機器を提供する。【解決手段】遠隔操作体１０は、可搬型コンピュータ２を特定する認証信号を一定の到達距離内で送信する認証信号発信手段１６を有し、可搬型コンピュータ２は、遠隔操作体１０からの認証信号のワイヤレスでの受信の有無を判定し、認証信号を受信したとき、この可搬型コンピュータ２の電源回路３をオンする電源回路オン信号を、認証信号を受信しないとき、この可搬型コンピュータ２の電源回路３をオフする電源回路オフ信号を出力してこの可搬型コンピュータ２の電源回路２をオン、オフ制御する電源回路制御手段２１と、遠隔操作体１０からの認証信号の受信が無いとき、鳴動するブザー２２とを備える。【選択図】図２
0003123590.tif 000002
【実用新案登録請求の範囲】
【請求項１】
遠隔操作体を用いて携帯情報機器の電源を制御する携帯情報機器の遠隔制御システムであって、
前記遠隔操作体は、前記携帯情報機器を特定する認証信号を一定の到達距離内で送信する認証信号発信手段を有し、
前記携帯情報機器は、前記遠隔操作体からの認証信号のワイヤレスでの受信の有無に応じて、該携帯情報機器の電源回路をオン、オフ制御する電源回路制御手段を備えること、
を特徴とする携帯情報機器の遠隔制御システム。
【請求項２】
遠隔操作体を用いて携帯情報機器の電源を制御する携帯情報機器の遠隔制御システムであって、
前記遠隔操作体は、前記携帯情報機器を特定する認証信号を一定の到達距離内で送信する認証信号発信手段を有し、
前記携帯情報機器は、前記遠隔操作体からの認証信号のワイヤレスでの受信の有無に応じて、この携帯情報機器の電源回路をオン、オフ制御する電源回路制御手段と、前記遠隔操作体からの認証信号の受信が無いとき鳴動する警報手段とを備えること、
を特徴とする携帯情報機器の遠隔制御システム。
【請求項３】
遠隔操作体を用いて携帯情報機器の電源を制御する携帯情報機器の遠隔制御システムであって、
前記遠隔操作体は、前記携帯情報機器を特定する認証信号を一定の到達距離内で送信する認証信号発信手段を有し、
前記携帯情報機器は、前記遠隔操作体からの認証信号のワイヤレスでの受信の有無を判定し、認証信号を受信したときこの携帯情報機器の電源回路をオンする電源回路オン信号を出力し、該認証信号を受信しないときこの携帯情報機器の電源回路をオフする電源回路オフ信号を出力してこの携帯情報機器の電源回路をオン、オフ制御する電源回路制御手段と、前記遠隔操作体からの認証信号の受信が無いとき鳴動する警報手段と、
を備えることを特徴とする携帯情報機器の遠隔制御システム。
【請求項４】
遠隔操作体を用いて可搬型コンピュータからなる携帯情報機器の電源を制御する携帯情報機器の遠隔制御システムであって、
前記遠隔操作体は、前記可搬型コンピュータを特定する認証信号を一定の到達距離内で送信する認証信号発信手段を有し、
前記可搬型コンピュータは、前記遠隔操作体からの認証信号のワイヤレスでの受信の有無に応じて、この可搬型コンピュータの電源回路をオン、オフ制御する電源回路制御手段を備えること、
を特徴とする携帯情報機器の遠隔制御システム。
【請求項５】
遠隔操作体を用いて可搬型コンピュータからなる携帯情報機器の電源を制御する携帯情報機器の遠隔制御システムであって、
前記遠隔操作体は、前記可搬型コンピュータを特定する認証信号を一定の到達距離内で送信する認証信号発信手段を有し、
前記可搬型コンピュータは、前記遠隔操作体からの認証信号のワイヤレスでの受信の有無に応じて、この可搬型コンピュータの電源回路をオン、オフ制御する電源回路制御手段と、前記遠隔操作体からの認証信号の受信が無いとき鳴動する警報手段とを備えること、
を特徴とする携帯情報機器の遠隔制御システム。
【請求項６】
遠隔操作体を用いて可搬型コンピュータからなる携帯情報機器の電源を制御する携帯情報機器の遠隔制御システムであって、
前記遠隔操作体は、前記可搬型コンピュータを特定する認証信号を一定の到達距離内で送信する認証信号発信手段を有し、
前記可搬型コンピュータは、前記遠隔操作体からの認証信号のワイヤレスでの受信の有無を判定し、認証信号を受信したときこの可搬型コンピュータの電源回路をオンする電源回路オン信号を出力し、認証信号を受信しないときこの可搬型コンピュータの電源回路をオフする電源回路オフ信号を出力してこの可搬型コンピュータの電源回路をオン、オフ制御する電源回路制御手段と、前記遠隔操作体からの認証信号の受信が無いとき鳴動する警報手段と、
を備えることを特徴とする携帯情報機器の遠隔制御システム。
【請求項７】
遠隔操作体を用いて携帯電話機からなる携帯情報機器の電源を制御する携帯情報機器の遠隔制御システムであって、
前記遠隔操作体は、前記携帯電話機を特定する認証信号を一定の到達距離内で送信する認証信号発信手段を有し、
前記携帯電話機は、前記遠隔操作体からの認証信号のワイヤレスでの受信の有無に応じて、この携帯電話機の電源回路をオン、オフ制御する電源回路制御手段を備えること、
を特徴とする携帯情報機器の遠隔制御システム。
【請求項８】
遠隔操作体を用いて携帯電話機からなる携帯情報機器の電源を制御する携帯情報機器の遠隔制御システムであって、
前記遠隔操作体は、前記携帯電話機を特定する認証信号を一定の到達距離内で送信する認証信号発信手段を有し、
前記携帯電話機は、前記遠隔操作体からの認証信号のワイヤレスでの受信の有無に応じて、この携帯電話機の電源回路をオン、オフ制御する電源回路制御手段と、前記遠隔操作体からの認証信号の受信が無いとき鳴動する警報手段とを備えること、
を特徴とする携帯情報機器の遠隔制御システム。
【請求項９】
遠隔操作体を用いて携帯電話機からなる携帯情報機器の電源を制御する携帯情報機器の遠隔制御システムであって、
前記遠隔操作体は、前記携帯電話機を特定する認証信号を一定の到達距離内で送信する認証信号発信手段を有し、
前記携帯電話機は、前記遠隔操作体からの認証信号のワイヤレスでの受信の有無を判定して、認証信号を受信したときこの携帯電話機の電源回路をオンする電源回路オン信号を出力し、該認証信号を受信しないときこの携帯電話機の電源回路をオフする電源回路オフ信号を出力してこの携帯電話機の電源回路をオン、オフ制御する電源回路制御手段と、
を備えることを特徴とする携帯情報機器の遠隔制御システム。
【請求項１０】
遠隔操作体を用いて携帯電話機からなる携帯情報機器の電源を制御する携帯情報機器の遠隔制御システムであって、
前記遠隔操作体は、前記携帯電話機を特定する認証信号を一定の到達距離内で送信する認証信号発信手段を有し、
前記携帯電話機は、前記遠隔操作体からの認証信号のワイヤレスでの受信の有無を判定して、認証信号を受信したときこの携帯電話機の電源回路をオンする電源回路オン信号を出力し、該認証信号を受信しないときこの携帯電話機の電源回路をオフする電源回路オフ信号を出力してこの携帯電話機の電源回路をオン、オフ制御する電源回路制御手段と、前記遠隔操作体からの認証信号の受信が無いとき鳴動する警報手段と、
を備えることを特徴とする携帯情報機器の遠隔制御システム。
【請求項１１】
遠隔操作体を用いてゲーム機からなる携帯情報機器の電源を制御する携帯情報機器の遠隔制御システムであって、
前記遠隔操作体は、前記ゲーム機を特定する認証信号を一定の到達距離内で送信する認証信号発信手段を有し、
前記ゲーム機は、前記遠隔操作体からの認証信号のワイヤレスでの受信の有無に応じて、このゲーム機の電源回路をオン、オフ制御する電源回路制御手段を備えること、
を特徴とする携帯情報機器の遠隔制御システム。
【請求項１２】
遠隔操作体を用いてゲーム機からなる携帯情報機器の電源を制御する携帯情報機器の遠隔制御システムであって、
前記遠隔操作体は、前記ゲーム機を特定する認証信号を一定の到達距離内で送信する認証信号発信手段を有し、
前記ゲーム機は、前記遠隔操作体からの認証信号のワイヤレスでの受信の有無に応じて、このゲーム機の電源回路をオン、オフ制御する電源回路制御手段と、前記遠隔操作体からの認証信号の受信が無いとき鳴動する警報手段とを備えること、
を特徴とする携帯情報機器の遠隔制御システム。
【請求項１３】
遠隔操作体を用いてゲーム機からなる携帯情報機器の電源を制御する携帯情報機器の遠隔制御システムであって、
前記遠隔操作体は、前記ゲーム機を特定する認証信号を一定の到達距離内で送信する認証信号発信手段を有し、
前記ゲーム機は、前記遠隔操作体からの認証信号のワイヤレスでの受信の有無を判定して、認証信号を受信したときこのゲーム機の電源回路をオンする電源回路オン信号を出力し、該認証信号を受信しないときこのゲーム機の電源回路をオフする電源回路オフ信号を出力してこのゲーム機の電源回路をオン、オフ制御する電源回路制御手段と、前記遠隔操作体からの認証信号の受信が無いとき鳴動する警報手段と、
を備えることを特徴とする携帯情報機器の遠隔制御システム。
【請求項１４】
遠隔操作体を用いて個人向け携帯情報端末からなる携帯情報機器の電源を制御する携帯情報機器の遠隔制御システムであって、
前記遠隔操作体は、前記個人向け携帯情報端末を特定する認証信号を一定の到達距離内で送信する認証信号発信手段を有し、
前記個人向け携帯情報端末は、前記遠隔操作体からの認証信号のワイヤレスでの受信の有無に応じて、この個人向け携帯情報端末の電源回路をオン、オフ制御する電源回路制御手段を備えること、
を特徴とする携帯情報機器の遠隔制御システム。
【請求項１５】
遠隔操作体を用いて個人向け携帯情報端末からなる携帯情報機器の電源を制御する携帯情報機器の遠隔制御システムであって、
前記遠隔操作体は、前記個人向け携帯情報端末を特定する認証信号を一定の到達距離内で送信する認証信号発信手段を有し、
前記個人向け携帯情報端末は、前記遠隔操作体からの認証信号のワイヤレスでの受信の有無に応じて、この個人向け携帯情報端末の電源回路をオン、オフ制御する電源回路制御手段と、前記遠隔操作体からの認証信号の受信が無いとき鳴動する警報手段とを備えること、
を特徴とする携帯情報機器の遠隔制御システム。
【請求項１６】
遠隔操作体を用いて個人向け携帯情報端末からなる携帯情報機器の電源を制御する携帯情報機器の遠隔制御システムであって、
前記遠隔操作体は、前記携帯情報機器を特定する認証信号を一定の到達距離内で送信する認証信号発信手段を有し、
前記個人向け携帯情報端末は、前記遠隔操作体からの認証信号のワイヤレスでの受信の有無を判定して、認証信号を受信したときこの個人向け携帯情報端末の電源回路をオンする電源回路オン信号を出力し、該認証信号を受信しないときこの個人向け携帯情報端末の電源回路をオフする電源回路オフ信号を出力して、この個人向け携帯情報端末の電源回路をオン、オフ制御する電源回路制御手段と、前記遠隔操作体からの認証信号の受信が無いとき鳴動する警報手段と、
を備えることを特徴とする携帯情報機器の遠隔制御システム。
【考案の詳細な説明】
【技術分野】
【０００１】
本考案は、携帯電話機等の携帯情報機器の遠隔制御システムに関し、詳しくは、可搬型コンピュータ、携帯電話機、ゲーム機、個人向け携帯情報端末等のような各種携帯情報機器に関する防犯機能の向上を図った携帯情報機器の遠隔制御システムに関するものである。
【背景技術】
【０００２】
例えば、可搬型コンピュータ、携帯電話機、ゲーム機、個人向け携帯情報端末等のような各種携帯情報機器は、その取り扱い容易性、運搬容易性の点から広く普及し、多くの人が屋内、屋外を問わず種々の場所で盛んに使用し情報処理の利便性を享受している。
【０００３】
このような携帯情報機器の場合、例えば、所有者が自己の携帯情報機器を使用していた場所に置き忘れ立ち去ったような場合、この携帯情報機器を見つけた他者が勝手に操作可能であることが通常であり、このため、他者による携帯情報機器の無断使用による重要データの盗用、長距離間・長時間等の電話通話による高額な電話料金の発生、個人データの盗用等のような事態が発生し、所有者が多大の損害を被ることが頻繁に生じている。
【０００４】
特許文献１には、携帯電話機、小型パソコン等々の携帯端末の個人認証を行う場合に、認証機関側から通信回線を介して携帯端末に認証情報を送信し、その画面に認証情報を表示することで、当該携帯端末を視認する第三者に本人確認させるように構成した携帯端末本人確認システムが提案されている。
【０００５】
しかし、この特許文献１の携帯端末本人確認システムの場合も、携帯端末自体の無断使用の防止、セキュリティの保護、データ盗用防止、置き忘れ防止対策等を考慮したものではない。
【特許文献１】特開２００４−０３８９１７号公報
【考案の開示】
【考案が解決しようとする課題】
【０００６】
本考案が解決しようとする問題点は、他者による無断使用の防止、セキュリティの保護、データ盗用防止を確実に図ることができ、更に置き忘れ防止対策にも万全を期した携帯情報機器が存在しない点である。
【課題を解決するための手段】
【０００７】
本考案は、遠隔操作体を用いて携帯情報機器の電源を制御する携帯情報機器の遠隔制御システムであって、前記遠隔操作体は、前記携帯情報機器を特定する認証信号を一定の到達距離内で送信する認証信号発信手段を有し、前記携帯情報機器は、前記遠隔操作体からの認証信号のワイヤレスでの受信の有無に応じてこの携帯情報機器の電源回路をオン、オフ制御する電源回路制御手段を備えること、を最も主要な特徴とする。
【考案の効果】
【０００８】
請求項１乃至３記載の考案によれば、携帯情報機器を特定する認証信号を一定の到達距離内で送信する認証信号発信手段を有する遠隔操作体を備え、この遠隔操作体からの認証信号のワイヤレスでの受信の有無に応じて電源回路をオン、オフ制御する電源回路制御手段を携帯情報機器側に備えるので、遠隔操作体を所持した前記携帯情報機器の所有者が認証信号の一定の到達距離外に離脱した場合、携帯情報機器は電源回路が不動作状態となり、これにより、携帯情報機器の他者による無断使用の防止、セキュリティの保護、データ盗用防止を確実に図ることこができる。また、前記遠隔操作体からの認証信号の受信が無いとき、鳴動する警報手段を付加した構成とすることで、前記携帯情報機器の所有者が認証信号の一定の到達距離外に離脱しようとした際に警報手段が鳴動するので、所有者は置き忘れに直ちに気付くことになり、置き忘れ防止対策も万全となる。
【０００９】
請求項４乃至６記載の考案によれば、携帯情報機器である可搬型コンピュータを特定する認証信号を一定の到達距離内で送信する認証信号発信手段を有する遠隔操作体を備え、この遠隔操作体からの認証信号のワイヤレスでの受信の有無に応じて電源回路をオン、オフ制御する電源回路制御手段を可搬型コンピュータ側に備えるので、遠隔操作体を所持した前記可搬型コンピュータの所有者が認証信号の一定の到達距離外に離脱した場合、可搬型コンピュータは電源回路が不動作状態となり、これにより、可搬型コンピュータの他者による無断使用の防止、セキュリティの保護、データ盗用防止を確実に図ることができる。また、前記遠隔操作体からの認証信号の受信が無いとき、鳴動する警報手段を付加した構成とすることで、前記可搬型コンピュータの所有者が認証信号の一定の到達距離外に離脱しようとした際に警報手段が鳴動するので、所有者は置き忘れに直ちに気付くことになり、置き忘れ防止対策も万全となる。
【００１０】
請求項７乃至１０記載の考案によれば、携帯情報機器である携帯電話機を特定する認証信号を一定の到達距離内で送信する認証信号発信手段を有する遠隔操作体を備え、この遠隔操作体からの認証信号のワイヤレスでの受信の有無に応じて電源回路をオン、オフ制御する電源回路制御手段を携帯電話機側に備えるので、遠隔操作体を所持した前記携帯電話機の所有者が認証信号の一定の到達距離外に離脱した場合、携帯電話機は電源回路が不動作状態となり、これにより、携帯電話機の他者による無断通話の防止、セキュリティの保護、データ盗用防止を確実に図ることができる。
また、前記遠隔操作体からの認証信号の受信が無いとき、鳴動する警報手段を付加した構成とすることで、前記携帯電話機の所有者が認証信号の一定の到達距離外に離脱しようとした際に警報手段が鳴動するので、所有者は置き忘れに直ちに気付くことになり、置き忘れ防止対策も万全となる。
【００１１】
請求項１１乃至１３記載の考案によれば、携帯情報機器であるゲーム機を特定する認証信号を一定の到達距離内で送信する認証信号発信手段を有する遠隔操作体を備え、この遠隔操作体からの認証信号のワイヤレスでの受信の有無に応じて電源回路をオン、オフ制御する電源回路制御手段をゲーム機側に備えるので、遠隔操作体を所持した前記ゲーム機の所有者が認証信号の一定の到達距離外に離脱した場合、ゲーム機は電源回路が不動作状態となり、これにより、ゲーム機の他者による無断使用の防止を確実に図ることができる。また、前記遠隔操作体からの認証信号の受信が無いとき、鳴動する警報手段を付加した構成とすることで、前記ゲーム機の所有者が認証信号の一定の到達距離外に離脱しようとした際に警報手段が鳴動するので、所有者は置き忘れに直ちに気付くことになり、置き忘れ防止対策も万全となる。
【００１２】
請求項１４乃至１６記載の考案によれば、携帯情報機器である個人向け携帯情報端末を特定する認証信号を一定の到達距離内で送信する認証信号発信手段を有する遠隔操作体を備え、この遠隔操作体からの認証信号のワイヤレスでの受信の有無に応じて電源回路をオン、オフ制御する電源回路制御手段を個人向け携帯情報端末側に備えるので、遠隔操作体を所持した前記ゲーム機の所有者が認証信号の一定の到達距離外に離脱した場合、個人向け携帯情報端末は電源回路が不動作状態となり、これにより、個人向け携帯情報端末の他者による無断使用の防止を確実に図ることができる。また、前記遠隔操作体からの認証信号の受信が無いとき、鳴動する警報手段を付加した構成とすることで、前記個人向け携帯情報端末の所有者が認証信号の一定の到達距離外に離脱しようとした際に警報手段が鳴動するので、所有者は置き忘れに直ちに気付くことになり、置き忘れ防止対策も万全となる。
【考案を実施するための最良の形態】
【００１３】
本考案は、他者による無断使用の防止、セキュリティの保護、データ盗用防止を確実に図ることができ、更に置き忘れ防止対策にも万全を期した携帯情報機器を提供するという目的を、遠隔操作体を用いて携帯情報機器の電源を制御する携帯情報機器の遠隔制御システムであって、前記遠隔操作体は、前記携帯情報機器を特定する認証信号を一定の到達距離内で送信する認証信号発信手段を有し、前記携帯情報機器は、前記遠隔操作体からの認証信号のワイヤレスでの受信の有無を判定し、認証信号を受信したとき、この携帯情報機器の電源回路をオンする電源回路オン信号を、認証信号を受信しないとき、この携帯情報機器の電源回路をオフする電源回路オフ信号を出力してこの携帯情報機器の電源回路をオン、オフ制御する電源回路制御手段と、前記遠隔操作体からの認証信号の受信が無いとき、鳴動する警報手段と、を備える構成により実現した。
【実施例】
【００１４】
以下に、本考案の実施例に係る携帯情報機器の遠隔制御システムについて図面を参照して詳細に説明する。
【００１５】
（実施例１）
図１乃至図３は、本考案の実施例１に係る携帯情報機器の一つである可搬型コンピュータ２（例えば、ノート型コンピュータ）の遠隔制御システム１の全体構成を示すものである。可搬型コンピュータ２は、キー入力部２ａ、表示部２ｂ等を有している。
【００１６】
この可搬型コンピュータ２の遠隔制御システム１は、図２に示すように、前記可搬型コンピュータ２を特定する認証信号を一定の到達距離内で送信する認証信号発信手段１６を有する遠隔操作体１０と、前記可搬型コンピュータ２に組込んだ前記遠隔操作体１０からの認証信号のワイヤレスでの受信の有無に応じてこの可搬型コンピュータ２の電源回路３をオン、オフ制御する電源回路制御手段２１と、前記遠隔操作体１０からの認証信号の受信が無いとき、鳴動する警報手段であるブザー２２とを有している。
【００１７】
前記認証信号としては、例えば数字、アルファベット文字等の任意桁数の組み合わせ等を採用することができる。
【００１８】
更に詳述すると、前記可搬型コンピュータ２は、図２に示すように、直流電源であるバッテリー４又はＡＣアダプタ用入力端子５から供給される所定の電力を基に、この可搬型コンピュータ２の本体各部を駆動する本体駆動回路８、ディスプレイを駆動するディスプレイ駆動回路７に所定の電圧を供給する電源回路３を具備している。可搬型コンピュータ２のこの他の要素については省略する。
【００１９】
前記遠隔操作体１０は、図１、図３に示すように、前記可搬型コンピュータ２を特定する認証信号を予め記憶した認証信号記憶部１２と、この遠隔操作体１０の動作に必要な電力を供給する電池１３と、電池１３からの電力をオン、オフするスイッチ１４と、認証信号出力部１１と、認証信号発信部１５とを具備する認証信号発信手段１６を有し、スイッチ１４がオン状態で前記認証信号出力部１１が認証信号記憶部１２から認証信号を読み込み、認証信号発信部１５から認証信号を例えば赤外線方式で、且つ、ワイヤレスで外部に発信するように構成している。
【００２０】
前記認証信号発信部１５からの認証信号の到達距離は、限定するものではないが、例えば３ｍ以内に設定している。この他、５ｍ、８ｍ等の距離設定とすることももちろん可能である。前記赤外線方式としては、例えば赤外線を使ってデータを転送するための通信規格であるＩｒＤＡ（Infrared Data Association）、ＩｒＤＡ  Ｃｏｎｔｒｏｌ、ＩｒＭＣ等を採用することができる。
【００２１】
前記電源回路制御手段２１は、図３に示すように、前記遠隔操作体１０からの認証信号を受信する通信ポート２３と、通信ポート２３の出力信号を信号処理する信号処理部２４と、電源回路制御手段２１の動作に必要なプログラムを格納したプログラムメモリ２６と、前記プログラムに基づき電源回路制御手段２１の各要素を制御する制御部２５と、予め前記可搬型コンピュータ２を特定する認証信号を記憶した認証信号記憶部２７と、前記遠隔操作体１０から送信されてくる認証信号と、認証信号記憶部２７に記憶した認証信号との一致、不一致を判定する認証信号照合部２８と、この認証信号照合部２８の判定結果に基づき前記電源回路３をオン、オフ制御する電源回路オン信号又は電源回路オフ信号を出力する電源制御信号出力部２９と、を有している。
【００２２】
更に、前記制御部２５は、前記遠隔操作体１０からの認証信号が存在しないとき、又は前記認証信号照合部２８の判定結果が不一致のとき、前記ブザー２２を駆動制御して鳴動させるようになっている。
【００２３】
次に、上述した可搬型コンピュータ２の遠隔制御システム１の動作について図４をも参照して説明する。
【００２４】
前記遠隔操作体１０のスイッチ１４がオン状態で、且つ、この遠隔操操作体１０が前記可搬型コンピュータ２の存在位置から３ｍ以内にあるとき、すなわち、前記遠隔操作体１０を所持した可搬型コンピュータ２の所有者が、可搬型コンピュータ２の近傍３ｍ以内に存在するとき、前記遠隔操操作体１０から発信される認証信号は前記電源回路制御手段２１の通信ポート２３により受信される（ステップＳ１）。
【００２５】
通信ポート２３により受信された認証信号は、前記信号処理部２４にて信号処理された後、制御部２５の制御の基に前記認証信号照合部２８に送られる。認証信号照合部２８は、送信されてくる認証信号と、前記認証信号記憶部２７から読み出した認証信号とを照合し（ステップＳ２）、両者の一致、不一致を判定する（ステップＳ３）。
【００２６】
前記認証信号照合部２８が一致と判定したとき、前記電源制御信号出力部２９は、制御部２５の制御の基に前記可搬型コンピュータ２の電源回路３に対して電源回路オン信号を出力する（ステップＳ４）。これにより、可搬型コンピュータ２の電源回路３は定常通り動作する状態となり、電源回路３をオン操作して可搬型コンピュータ２を起動することが可能となる（ステップＳ５）。
【００２７】
他方、例えば前記遠隔操作体１０を所持した可搬型コンピュータ２の所有者が、可搬型コンピュータ２の位置から３ｍの範囲外に離脱したとき、前記遠隔操操作体１０から発信される認証信号は前記電源回路制御手段２１の通信ポート２３に到達せず、通信ポート２３は認証信号を受信しなくなる（ステップＳ１否定）。
【００２８】
このとき、前記制御部２５は、予め格納したプログラムに基づき、前記電源制御信号出力部２９を制御し、前記可搬型コンピュータ２の電源回路３に対して電源回路オフ信号を出力させる（ステップＳ６）。これにより、可搬型コンピュータ２の電源回路３は不動作の状態となり、電源回路３をオン操作して可搬型コンピュータ２を起動することができなくなる（ステップＳ７）。電源回路３を不動作にする具体例としては、例えば、図示していないが電源一次回路をリレー等を使用して切状態にする構成等を挙げることができる。
【００２９】
また、上述したステップＳ３の処理で、前記認証信号照合部２８が不一致と判定したとき、も、上述したステップＳ６、ステップＳ７の処理が実行され、電源回路３をオン操作して可搬型コンピュータ２を起動することができなくなる。具体的には、例えば認証信号が異なる他の遠隔操操作体１０を所持した他者が当該可搬型コンピュータ２に近付き通信ポート２３により異なる認証信号が受信されたような場合である。
【００３０】
このようにして、本実施例１に係る可搬型コンピュータ２の遠隔制御システム１によれば、前記遠隔操作体１０を所持した可搬型コンピュータ２の所有者が、可搬型コンピュータ２の近傍３ｍ以内に存在するときには、定常通り可搬型コンピュータ２を起動して所要の操作を実行することができる。
【００３１】
他方、遠隔操作体１０を所持した可搬型コンピュータ２の所有者が、可搬型コンピュータ２の位置から３ｍの範囲外に離脱した場合、又は認証信号が異なる他の遠隔操操作体１０を所持した他者が当該可搬型コンピュータ２に近付き操作しようとする場合等においては、可搬型コンピュータ２の電源回路３は不動作の状態となり、電源回路３をオン操作して可搬型コンピュータ２を起動することができなくなる。
【００３２】
この結果、当該可搬型コンピュータ２の他者による悪用、内蔵データの盗用等を的確に防止し、セキュリティ性、防犯性を向上することかできる。
【００３３】
上述した一連の動作に加えて、図５に示すように、前記電源回路制御手段２１が認証信号を受信しないとき、又は前記ステップＳ３の処理で前記認証信号照合部２８が不一致と判定したとき、上述したステップＳ６の処理とともに、制御部２５の制御で前記ブザー２２を駆動して鳴動させることもできる（ステップＳ６Ａ）。前記ブザー２２を鳴動させる処理を付加することで、遠隔操作体１０を所持した可搬型コンピュータ２の所有者が、この可搬型コンピュータ２を置き忘れ、その位置から３ｍの範囲外に離れようとしたような場合、ブザー音により置き忘れたことに気付くことになり、所有者の置き忘れ防止を図る上で効果的である。
【００３４】
（実施例２）
次に、図６、図７を参照して本考案の実施例２に係る携帯情報機器の一つである携帯電話機３１の遠隔制御システム１Ａについて説明する。携帯電話機３１は、キー操作部３２、表示部３３等を有している。
【００３５】
この携帯電話機３１の遠隔制御システム１Ａは、携帯情報機器が携帯電話機３１である点を除き実施例１の遠隔制御システム１と同様な構成であり、実施例１の場合と同様な機能を有する要素には同一の符号を付し、その詳細な説明は省略する。
【００３６】
図６、図７に示す本実施例２に係る遠隔制御システム１Ａは、前記携帯電話機３１を特定する認証信号を一定の到達距離内で送信する認証信号発信手段１６を有する実施例１の場合と同様な遠隔操作体１０と、前記携帯電話機３１に組込んだ前記遠隔操作体１０からの認証信号のワイヤレスでの受信の有無に応じてこの携帯電話機３１の電源回路３をオン、オフ制御する電源回路制御手段２１と、前記遠隔操作体１０からの認証信号の受信が無いとき、鳴動する警報手段であるブザー２２とを有している。前記電源回路制御手段２１の具体的構成は、図３に示す場合と同様である。
【００３７】
本実施例２に係る遠隔制御システム１Ａによっても、実施例１における図４、図５に示す場合と同様な動作を実行でき、これにより、前記遠隔操作体１０を所持した携帯電話機３１の所有者が、携帯電話機３１の近傍３ｍ以内に存在するときには、定常通り携帯電話機３１を起動して所要の操作を行うことができる。
【００３８】
他方、遠隔操作体１０を所持した携帯電話機３１の所有者が、携帯電話機３１の位置から例えば３ｍの範囲外に離脱した場合、又は認証信号が異なる他の遠隔操操作体１０を所持した他者が当該携帯電話機３１に近付き操作しようとする場合等においては、携帯電話機３１の電源回路３は不動作の状態となり、電源回路３をオン操作して携帯電話機３１を起動することができなくなる。
【００３９】
この結果、当該携帯電話機３１の他者による無断通話や個人データの無断閲覧等の悪用を的確に防止し、セキュリティ性、防犯性を向上することかできる。
【００４０】
また、実施例１の場合と同様、前記電源回路制御手段２１が認証信号を受信しないとき、又は電源回路制御手段２１の認証信号照合部２８が不一致と判定したとき、制御部２５の制御で前記ブザー２２を駆動して鳴動させることもでき、これにより、遠隔操作体１０を所持した携帯電話機３１の所有者が、この携帯電話機３１を置き忘れ、その位置から３ｍの範囲外に離れようとしたような場合、ブザー音により置き忘れたことに気付くことになり、所有者の置き忘れ防止を図る上で効果的である。
【００４１】
なお、本実施例２は、１．９ＧＨｚ帯の周波数を使用したデジタル方式のＰＨＳ（ピーエッチエス；personal handy phone system）に関しても同様に適用可能である。
【００４２】
（実施例３）
次に、図８、図９を参照して本考案の実施例３に係る携帯情報機器の一つであるゲーム機４１の遠隔制御システム１Ｂの全体構成を示すものである。ゲーム機４１は、ゲーム機本体４２、操作部４３等を有している。
【００４３】
このゲーム機４１の遠隔制御システム１Ｂは、携帯情報機器がゲーム機４１である点を除き実施例１の遠隔制御システム１と同様な構成であり、実施例１の場合と同様な機能を有する要素には同一の符号を付し、その詳細な説明は省略する。
【００４４】
図８、図９に示す本実施例３に係る遠隔制御システム１Ｂは、前記ゲーム機４１を特定する認証信号を一定の到達距離内で送信する認証信号発信手段１６を有する実施例１の場合と同様な遠隔操作体１０と、前記ゲーム機４１に組込んだ前記遠隔操作体１０からの認証信号のワイヤレスでの受信の有無に応じてこのゲーム機４１の電源回路３をオン、オフ制御する電源回路制御手段２１と、前記遠隔操作体１０からの認証信号の受信が無いとき、鳴動する警報手段であるブザー２２とを有している。前記電源回路制御手段２１の具体的構成は、図３に示す場合と同様である。
【００４５】
本実施例３に係る遠隔制御システム１Ｂによっても、実施例１における図４、図５に示す場合と同様な動作を実行でき、これにより、前記遠隔操作体１０を所持したゲーム機４１の所有者が、ゲーム機４１の近傍３ｍ以内に存在するときには、定常通りゲーム機４１を起動して所要の操作を行うことができる。
【００４６】
他方、遠隔操作体１０を所持したゲーム機４１の所有者が、ゲーム機４１の位置から３ｍの範囲外に離脱した場合、又は認証信号が異なる他の遠隔操操作体１０を所持した他者が当該ゲーム機４１に近付き操作しようとする場合等においては、ゲーム機４１の電源回路３は不動作の状態となり、電源回路３をオン操作してゲーム機４１を起動することができなくなる。
【００４７】
この結果、当該ゲーム機４１の他者による無断使用等の悪用を的確に防止し、防犯性を向上することかできる。
【００４８】
また、実施例１の場合と同様、前記電源回路制御手段２１が認証信号を受信しないとき、又は電源回路制御手段２１の認証信号照合部２８が不一致と判定したとき、制御部２５の制御で前記ブザー２２を駆動して鳴動させることもでき、これにより、遠隔操作体１０を所持したゲーム機４１の所有者が、このゲーム機４１を置き忘れ、その位置から例えば３ｍの範囲外に離れようとしたような場合、ブザー音により置き忘れたことに気付くことになり、所有者の置き忘れ防止を図る上で効果的である。
【００４９】
（実施例４）
次に、図１０、図１１を参照して本考案の実施例４に係る携帯情報機器の一つである個人向け携帯情報端末（ＰＤＡ；personal digital assistant）５１の遠隔制御システム１Ｃの全体構成を示すものである。個人向け携帯情報端末５１は、
携帯情報端末本体５２、表示部５３、操作ペン５４等を有している。
【００５０】
ここに個人向け携帯情報端末５１とは、例えば、手のひらサイズの情報機器にスケジュール管理、アドレス帳、電子メールなどの機能等を持たせたものであり、例えば、日本ＩＢＭ（株）の「Ｗｏｒｋ  Ｐａｄ」（登録商標）、シャープ（株）の「ザウルス」（登録商標）等の例を挙げることができる。
【００５１】
本実施例４ゲーム機４１の遠隔制御システム１Ｃは、携帯情報機器が個人向け携帯情報端末５１である点を除き実施例１の遠隔制御システム１と同様な構成であり、実施例１の場合と同様な機能を有する要素には同一の符号を付し、その詳細な説明は省略する。
【００５２】
図１０、図１１に示す本実施例４に係る遠隔制御システム１Ｃは、前記個人向け携帯情報端末５１を特定する認証信号を一定の到達距離内で送信する認証信号発信手段１６を有する実施例１の場合と同様な遠隔操作体１０と、前記個人向け携帯情報端末５１に組込んだ前記遠隔操作体１０からの認証信号のワイヤレスでの受信の有無に応じてこの個人向け携帯情報端末５１の電源回路３をオン、オフ制御する電源回路制御手段２１と、前記遠隔操作体１０からの認証信号の受信が無いとき、鳴動する警報手段であるブザー２２とを有している。前記電源回路制御手段２１の具体的構成は、図３に示す場合と同様である。
【００５３】
本実施例４に係る遠隔制御システム１Ｃによっても、実施例１における図４、図５に示す場合と同様な動作を実行でき、これにより、前記遠隔操作体１０を所持した個人向け携帯情報端末５１の所有者が、個人向け携帯情報端末５１の近傍３ｍ以内に存在するときには、定常通り個人向け携帯情報端末５１を起動して所要の操作を行うことができる。
【００５４】
他方、遠隔操作体１０を所持した個人向け携帯情報端末５１の所有者が、個人向け携帯情報端末５１の位置から３ｍの範囲外に離脱した場合、又は認証信号が異なる他の遠隔操操作体１０を所持した他者が当該個人向け携帯情報端末５１に近付き操作しようとする場合等においては、個人向け携帯情報端末５１の電源回路３は不動作の状態となり、電源回路３をオン操作して個人向け携帯情報端末５１を起動することができなくなる。
【００５５】
この結果、当該個人向け携帯情報端末５１の他者による無断使用、個人データの無断閲覧等の悪用を的確に防止し、セキュリティ性、防犯性を向上することかできる。
【００５６】
また、実施例１の場合と同様、前記電源回路制御手段２１が認証信号を受信しないとき、又は電源回路制御手段２１の認証信号照合部２８が不一致と判定したとき、制御部２５の制御で前記ブザー２２を駆動して鳴動させることもでき、これにより、遠隔操作体１０を所持した個人向け携帯情報端末５１の所有者が、この個人向け携帯情報端末５１を置き忘れ、その位置から例えば３ｍの範囲外に離れようとしたような場合、ブザー音により置き忘れたことに気付くことになり、所有者の置き忘れ防止を図る上で効果的である。
【００５７】
なお、上述した実施例１乃至４において、電源回路制御手段２１、ブザー２２は、各々携帯情報機器の本体に組み込む構成の他、携帯情報機器の本体に対して外付け型の構成とすることも可能である。
【産業上の利用可能性】
【００５８】
本考案は、上述した場合の他、ハードディスク、ＤＶＤ等を搭載した携帯型の各種音響機器や、各種辞典類、多国言語辞書等を格納した携帯型の電子辞書等の携帯情報機器等に幅広く適用可能である。
【図面の簡単な説明】
【００５９】
【図１】本考案の実施例１に係る携帯情報機器の一つである可搬型コンピュータの遠隔制御システム外観を示す概略説明図である。
【図２】本考案の実施例１に係る携帯情報機器の一つである可搬型コンピュータの遠隔制御システムの電源回路制御手段、ブザー及び可搬型コンピュータ電源部の構成を示す概略ブロック図である。
【図３】本考案の実施例１に係る携帯情報機器の一つである可搬型コンピュータの遠隔制御システムの遠隔制御手段、電源回路制御手段及びブザーの構成を示す概略ブロック図である。
【図４】本考案の実施例１に係る携帯情報機器の一つである可搬型コンピュータの遠隔制御システムの動作を示すフローチャートである。
【図５】本考案の実施例１に係る携帯情報機器の一つである可搬型コンピュータの遠隔制御システムの他の動作を示すフローチャートである。
【図６】本考案の実施例２に係る携帯情報機器の一つである携帯電話機の遠隔制御システムの外観を示す概略説明図である。
【図７】本考案の実施例２に係る携帯情報機器の一つである携帯電話機の遠隔制御システムの電源回路制御手段、ブザー及び携帯電話機電源部の構成を示す概略ブロック図である。
【図８】本考案の実施例３に係る携帯情報機器の一つであるゲーム機の遠隔制御システムの外観を示す概略説明図である。
【図９】本考案の実施例３に係る携帯情報機器の一つであるゲーム機の遠隔制御システムの電源回路制御手段、ブザー及びゲーム機電源部の構成を示す概略ブロック図である。
【図１０】本考案の実施例４に係る携帯情報機器の一つである個人向け携帯情報端末の遠隔制御システムの外観を示す概略説明図である。
【図１１】本考案の実施例４に係る携帯情報機器の一つである個人向け携帯情報端末の遠隔制御システムの電源回路制御手段、ブザー及び個人向け携帯情報端末電源部の構成を示す概略ブロック図である。
【符号の説明】
【００６０】
１    遠隔制御システム
１Ａ  遠隔制御システム
１Ｂ  遠隔制御システム
１Ｃ  遠隔制御システム
２    可搬型コンピュータ
２ａ  キー入力部
２ｂ  表示部
３    電源回路
４    バッテリー
５    アダプタ用入力端子
７    ディスプレイ駆動回路
８    本体駆動回路
１０    遠隔操作体
１１    認証信号出力部
１２    認証信号記憶部
１３    電池
１４    スイッチ
１５    認証信号発信部
１６    認証信号発信手段
２１    電源回路制御手段
２２    ブザー
２３    通信ポート
２４    信号処理部
２５    制御部
２６    プログラムメモリ
２７    認証信号記憶部
２８    認証信号照合部
２９    電源制御信号出力部
３１    携帯電話機
３２    キー操作部
３３    表示部
４１    ゲーム機
４２    ゲーム機本体
４３    操作部
５１    個人向け携帯情報端末
５２    携帯情報端末本体
５３    表示部
５４    操作ペン
【図１】
0003123590.tif 000003
【図２】
0003123590.tif 000004
【図３】
0003123590.tif 000005
【図４】
0003123590.tif 000006
【図５】
0003123590.tif 000007
【図６】
0003123590.tif 000008
【図７】
0003123590.tif 000009
【図８】
0003123590.tif 000010
【図９】
0003123590.tif 000011
【図１０】
0003123590.tif 000012
【図１１】
0003123590.tif 000013